(57)【要約】【課題】  ユーザ端末に災害情報などを提供するシステムにおいて、ネットワークに与える負荷を軽減すること。【解決手段】  ユーザが所有する携帯端末２の位置を測定する測位サーバ３と、所定の地域毎に設定され当該地域内の状況を表す種々の配信情報を蓄積する配信情報蓄積サーバ４０と、測位サーバと配信情報蓄積サーバとにネットワークを介して接続された情報配信サーバ１と、を備え、この情報配信サーバが、測位サーバから取得した携帯端末の位置情報が配信情報蓄積サーバから取得した配信情報が設定された所定の地域内に位置している場合に、当該配信情報をその地域内に位置する携帯端末に対して配信する情報配信手段を備えた。【選択図】図１
2005333232.tif 000002
【特許請求の範囲】
【請求項１】
ユーザが所有する携帯端末の位置を測定する測位サーバと、所定の地域毎に設定され当該地域内の状況を表す種々の配信情報を蓄積する配信情報蓄積サーバと、前記測位サーバと前記配信情報蓄積サーバとにネットワークを介して接続された情報配信サーバと、を備え、
この情報配信サーバが、前記測位サーバから取得した前記携帯端末の位置情報が前記配信情報蓄積サーバから取得した前記配信情報が設定された所定の地域内に位置している場合に、当該配信情報をその地域内に位置する携帯端末に対して配信する情報配信手段を備えた、ことを特徴とする情報配信システム。
【請求項２】
ユーザが所有する携帯端末の位置を測定する測位サーバと、所定の地域毎に設定され当該地域内の状況を表す種々の配信情報を蓄積する配信情報蓄積サーバと、前記測位サーバと前記配信情報蓄積サーバとにネットワークを介して接続された情報配信サーバと、を備え、
この情報配信サーバが、
前記種々の配信情報が設定された地域を含む所定範囲の地図データを記憶する地図データ記憶手段と、
前記測位サーバからネットワークを介して前記携帯端末の位置情報を取得すると共に当該位置情報を前記地図データ上に関連付けて記憶する端末位置取得手段と、
前記配信情報蓄積サーバからネットワークを介して前記種々の配信情報を取得すると共にこれら配信情報を当該配信情報が設定された前記所定の地域に対応して前記地図データ上に関連付けて記憶する配信情報取得手段と、
前記地図データ上において前記携帯端末の位置情報が前記配信情報が設定された地域内に位置する場合に、当該配信情報をその地域内に位置する前記携帯端末に対して配信する情報配信手段と、
を備えたことを特徴とする情報配信システム。
【請求項３】
ユーザが所有する携帯端末の位置を測定する測位サーバと、所定の地域毎に設定され当該地域内の状況を表す種々の配信情報を蓄積する配信情報蓄積サーバと、前記測位サーバと前記配信情報蓄積サーバとにネットワークを介して接続された情報配信サーバと、を備え、
この情報配信サーバが、
前記種々の配信情報が設定された地域を含む所定範囲の地図データを記憶する地図データ記憶手段と、
前記携帯端末宛の情報通信用アドレスデータを記憶するアドレスデータ記憶手段と、
前記測位サーバからネットワークを介して前記携帯端末の位置情報を取得すると共に当該位置情報を前記地図データ上に関連付けて記憶する端末位置取得手段と、
前記配信情報蓄積サーバからネットワークを介して前記種々の配信情報を取得すると共にこれら配信情報を当該配信情報が設定された前記所定の地域に対応して前記地図データ上に関連付けて記憶する配信情報取得手段と、
前記地図データ上において前記携帯端末の位置情報が前記配信情報が設定された地域内に位置する場合に、当該配信情報をその地域内に位置する前記携帯端末に対して配信するよう前記アドレスデータ記憶手段に記憶された情報通信用アドレスデータ宛に送信する情報配信手段と、
を備えたことを特徴とする情報配信システム。
【請求項４】
前記情報配信サーバが、取得した前記携帯端末の位置情報が以前に取得したものと比較して異なる地域に移動している場合に前記情報配信手段を作動させる、ことを特徴とする請求項１，２又は３記載の情報配信システム。
【請求項５】
前記情報配信サーバが、取得した前記配信情報が所定の地域において新たに取得されたものである場合に前記情報配信手段を作動させる、ことを特徴とする請求項１，２，３又は４記載の情報配信システム。
【請求項６】
前記情報配信サーバが、取得した前記配信情報が同一地域における以前に取得したものと比較して変更されている場合に前記情報配信手段を作動させる、ことを特徴とする請求項１，２，３，４又は５記載の情報配信システム。
【請求項７】
前記種々の配信情報は、前記所定の地域における気象情報、地震情報、津波情報、噴火情報、洪水情報など、各種災害情報のうち、いずれか２種以上の災害情報を含む、ことを特徴とする請求項１，２，３，４，５又は６記載の情報配信システム。
【請求項８】
前記種々の配信情報は、前記所定の地域における気象・地震・津波・噴火・洪水などの災害情報、所定の地域における犯罪発生情報、所定の地域におけるハザードマップ情報、のうち、いずれか２以上の情報を含む、ことを特徴とする請求項１，２，３，４，５，６又は７記載の情報配信システム。
【請求項９】
前記携帯端末が、通信基地局を介して通信可能な携帯電話などの携帯型情報通信端末であって、
前記測位サーバが、前記通信基地局による測位情報を使用して前記携帯端末の位置情報を計測する、ことを特徴とする請求項１，２，３，４，５，６，７又は８記載の情報配信システム。
【請求項１０】
前記携帯端末が、通信基地局を介して通信可能な携帯電話などの携帯型情報通信端末であると共に、ＧＰＳシステムを搭載して自己の端末の測位を行う端末であって、
前記測位サーバが、前記携帯端末によるＧＰＳ測位情報、及び、前記通信基地局による測位情報を併用して前記携帯端末の位置情報を計測する、ことを特徴とする請求項１，２，３，４，５，６，７又は８記載の情報配信システム。
【請求項１１】
前記測位サーバが、前記通信基地局による前記携帯端末の在圏情報を用いて当該携帯端末の位置情報の計測を行うと共に、この在圏情報による計測に基づいて前記ＧＰＳシステムを用いて前記携帯端末の位置情報の計測を行う、ことを特徴とする請求項１０記載の情報配信システム。
【請求項１２】
前記情報配信サーバが、前記測位サーバから取得した前記携帯端末の位置情報を外部に出力する際に、当該携帯端末あるいは当該携帯端末を所有するユーザを特定する情報を付加せずに位置情報を出力する機能を有する、ことを特徴とする請求項１，２，３，４，５，６，７，８，９，１０又は１１記載の情報配信システム。
【請求項１３】
ユーザが所有する携帯端末の位置情報を取得する端末位置取得手段と、
所定の地域毎に設定され当該地域内の状況を表す種々の配信情報を取得する配信情報取得手段と、
前記携帯端末の位置情報が前記配信情報が設定された所定の地域内に位置している場合に当該配信情報をその地域内に位置する携帯端末に対して配信する情報配信手段と、
を備えたことを特徴とする情報配信サーバ。
【請求項１４】
所定範囲の地図データを記憶する地図データ記憶手段と、
ユーザが所有する携帯端末の位置情報を取得して当該位置情報を前記地図データ上に関連付けて記憶する端末位置取得手段と、
所定の地域毎に設定され当該地域内の状況を表す種々の配信情報を取得してこれら配信情報を当該配信情報が設定された前記所定の地域に対応して前記地図データ上に関連付けて記憶する配信情報取得手段と、
前記地図データ上において前記携帯端末の位置情報が前記配信情報が設定された地域内に位置する場合に、当該配信情報をその地域内に位置する前記携帯端末に対して配信する情報配信手段と、
を備えたことを特徴とする情報配信サーバ。
【請求項１５】
所定範囲の地図データを記憶する地図データ記憶手段と、
ユーザが所有する携帯端末の位置情報を取得して当該位置情報を前記地図データ上に関連付けて記憶する端末位置取得手段と、
所定の地域毎に設定され当該地域内の状況を表す種々の配信情報を取得してこれら配信情報を当該配信情報が設定された前記所定の地域に対応して前記地図データ上に関連付けて記憶する配信情報取得手段と、
前記携帯端末宛の情報通信用アドレスデータを記憶するアドレスデータ記憶手段と、
前記地図データ上において前記携帯端末の位置情報が前記配信情報が設定された地域内に位置する場合に、当該配信情報をその地域内に位置する前記携帯端末に対して配信するよう前記アドレスデータ記憶手段に記憶された情報通信用アドレスデータ宛に送信する情報配信手段と、
を備えたことを特徴とする情報配信サーバ。
【請求項１６】
ユーザが所有する携帯端末に所定の地域毎に設定された当該所定の地域内の状況を表す種々の配信情報を、ネットワークを介して接続された情報配信サーバを用いて前記携帯端末に配信する情報配信方法であって、
前記携帯端末の位置情報を取得する端末位置取得工程と、
この端末位置取得工程に前後して、前記種々の配信情報を取得する配信情報取得工程と、を有し、
前記端末位置取得工程にて取得した前記携帯端末の位置情報が、前記配信情報取得工程にて取得した前記配信情報が設定された所定の地域内に位置している場合に、当該配信情報をその地域内に位置する携帯端末に対して配信する情報配信工程と、
を備えたことを特徴とする情報配信方法。
【請求項１７】
ユーザが所有する携帯端末に所定の地域毎に設定された当該所定の地域内の状況を表す種々の配信情報を、ネットワークを介して接続された情報配信サーバを用いて前記携帯端末に配信する情報配信方法であって、
前記携帯端末の位置情報を取得して当該位置情報を予め記憶された所定範囲の地図データ上に関連付けて記憶する端末位置取得工程と、
この端末位置取得工程に前後して、前記種々の配信情報を取得してこれら配信情報を当該配信情報が設定された前記所定の地域に対応して前記地図データ上に関連付けて記憶する配信情報取得工程と、を有し、
前記地図データ上において、前記端末位置取得工程にて取得した前記携帯端末の位置情報が前記配信情報取得工程にて取得した前記配信情報が設定された地域内に位置する場合に、当該配信情報をその地域内に位置する前記携帯端末に対して配信する情報配信工程と、
を備えたことを特徴とする情報配信方法。
【請求項１８】
ユーザが所有する携帯端末に所定の地域毎に設定された当該所定の地域内の状況を表す種々の配信情報を、ネットワークを介して接続された情報配信サーバを用いて前記携帯端末に配信する情報配信方法であって、
前記携帯端末の位置情報を取得して当該位置情報を予め記憶された所定範囲の地図データ上に関連付けて記憶する端末位置取得工程と、
この端末位置取得工程に前後して、前記種々の配信情報を取得してこれら配信情報を当該配信情報が設定された前記所定の地域に対応して前記地図データ上に関連付けて記憶する配信情報取得工程と、を有し、
前記地図データ上において、前記端末位置取得工程にて取得した前記携帯端末の位置情報が前記配信情報取得工程にて取得した前記配信情報が設定された地域内に位置する場合に、当該配信情報をその地域内に位置する前記携帯端末に対して配信するよう予め記憶された前記携帯端末宛の情報通信用アドレスデータ宛に送信する情報配信工程と、
を備えたことを特徴とする情報配信方法。
【請求項１９】
ユーザが所有する携帯端末に所定の地域毎に設定された当該所定の地域内の状況を表す種々の配信情報を配信すべく、前記携帯端末にネットワークを介して接続された情報配信サーバに、
前記携帯端末の位置情報を取得する端末位置取得手段、
前記種々の配信情報を取得する配信情報取得手段、
前記携帯端末の位置情報が前記配信情報が設定された所定の地域内に位置している場合に当該配信情報をその地域内に位置する携帯端末に対して配信する情報配信手段、
とを実現するための情報配信用プログラム。
【請求項２０】
ユーザが所有する携帯端末に所定の地域毎に設定された当該所定の地域内の状況を表す種々の配信情報を配信すべく、前記携帯端末にネットワークを介して接続された情報配信サーバに、
所定範囲の地図データを記憶する地図データ記憶手段、
前記携帯端末の位置情報を取得して当該位置情報を前記地図データ上に関連付けて記憶する端末位置取得手段、
前記種々の配信情報を取得してこれら配信情報を当該配信情報が設定された前記所定の地域に対応して前記地図データ上に関連付けて記憶する配信情報取得手段、
前記地図データ上において前記携帯端末の位置情報が前記配信情報が設定された地域内に位置する場合に、当該配信情報をその地域内に位置する前記携帯端末に対して配信する情報配信手段、
とを実現するための情報配信用プログラム。
【請求項２１】
ユーザが所有する携帯端末に所定の地域毎に設定された当該所定の地域内の状況を表す種々の配信情報を配信すべく、前記携帯端末にネットワークを介して接続された情報配信サーバに、
所定範囲の地図データを記憶する地図データ記憶手段、
前記携帯端末の位置情報を取得して当該位置情報を前記地図データ上に関連付けて記憶する端末位置取得手段、
前記種々の配信情報を取得してこれら配信情報を当該配信情報が設定された前記所定の地域に対応して前記地図データ上に関連付けて記憶する配信情報取得手段、
前記携帯端末宛の情報通信用アドレスデータを記憶するアドレスデータ記憶手段、
前記地図データ上において前記携帯端末の位置情報が前記配信情報が設定された地域内に位置する場合に、当該配信情報をその地域内に位置する前記携帯端末に対して配信するよう前記アドレスデータ記憶手段に記憶された情報通信用アドレスデータ宛に送信する情報配信手段、
とを実現するための情報配信用プログラム。
【発明の詳細な説明】
【技術分野】
【０００１】
本発明は、情報配信システムにかかり、特に、携帯電話などの携帯端末に対して災害情報などを送信する情報配信システムに関する。また、情報配信方法、及び、情報配信を実現するようサーバコンピュータの動作を制御するプログラムに関する。
【背景技術】
【０００２】
気象や地震、津波、噴火などの災害情報や犯罪に関する安全情報については、従来より公共放送などによって無料提供されており、あるいは、携帯電話のコンテンツなどによって有料／無料にて提供が行われている。また、事前に予測もしくは準備された地震、水害、噴火災害などが発生した際の被災状況を想定したハザードマップや犯罪発生マップなどについては、気象庁、国土交通省、各自治体、警視庁や所轄県警などからインターネットを通じて無料で提供されている。
【０００３】
但し、これらの情報は、現実には広く一般市民に活用されていないという問題がある。これは、上述した情報は、例えば、テレビやラジオなどの媒体を通じて配信されるが、災害などが深夜などに発生した場合には睡眠中にこれを受信することが困難であり、一般市民に伝達されにくいという状況にあるためである。また、それぞれ所轄の官庁や自治体毎にインターネットなどを通じて個別に提供されており、関心のある市民がそれぞれを個別に閲覧するなど積極的に情報を取得しなければならない、という状況にあるため、利便性が非常に低いためである。
【０００４】
一方で、上述した災害情報や安全情報などをユーザに提供するシステムが、下記の特許文献１，２に開示されている。具体的には、特許文献１では、災害発生区域や立入禁止区域にいる者が所有している携帯電話の位置をＧＰＳにて測定し、当該区域に侵入した者の携帯電話に報知情報を送信する、という構成を採っている。また、特許文献２では、上記同様に携帯電話の位置を計測し、かかる位置情報に基づいて災害が発生した地域に存在する住民の携帯電話に災害情報を通知する、という構成を採っている。
【０００５】
【特許文献１】特開２００１−１１２０６６号公報
【特許文献２】特開２００２−２４５５７９号公報
【発明の開示】
【発明が解決しようとする課題】
【０００６】
しかしながら、上記従来例におけるシステムでは、災害情報や安全情報などを提供するシステムが、その提供する情報の種類に応じて多数存在することとなるため、これに伴いユーザ端末の位置情報を取得するシステムが多数併存する、という事態が生じうる。すると、これら各システムは、それぞれが多数のユーザ端末を測位することとなり、かかる測位時に使用されるデータ通信量が膨大となり、ネットワークトラフィックがネットワークインフラに与える負荷が非常に大きくなる、という問題が生じる。特に、特許文献開示のシステムでは、ユーザ端末の測位にＧＰＳを用いており、この際に衛星捕捉に用いる情報や測位結果がパケットデータとしてモバイルネットワーク上を転送されるため、このようなＧＰＳ測位による高コスト化や、ネットワークトラフィックの大容量化は顕著なものとなる。これにより、災害時にネットワークトラフィック渋滞が生じると、最も配信したい災害情報などを配信することが困難となるおそれが生じる。
【０００７】
そして、さらには、上述したように複数のシステムによって、常時、ユーザ端末の測位が行われることとなると、これに対するユーザ端末の消費電力が大きくなり、バッテリの持続時間が極端に短くなる、という問題が生じる。すると、ユーザ端末に対する充電が頻繁に必要となり、ユーザにとって手間がかかるどころか、災害時に充電切れのため災害情報を受信することができない、という事態も生じかねない。
【０００８】
従って、本発明では、上記従来例の有する不都合を改善すべく、ネットワークインフラに大きな負荷を与えることなく、ユーザが所有する携帯型情報通信端末の位置を常時測位し、当該ユーザの端末に対して災害情報や安全情報などの種々の情報を配信することができる情報配信システムを提供すること、をその目的とする。また、ユーザ端末を測位する際に、ユーザのプライバシー保護も考慮した情報配信システムを提供することも目的とする。
【課題を解決するための手段】
【０００９】
そこで、本発明では、
ユーザが所有する携帯端末の位置を測定する測位サーバと、所定の地域毎に設定され当該地域内の状況を表す種々の配信情報を蓄積する配信情報蓄積サーバと、測位サーバと配信情報蓄積サーバとにネットワークを介して接続された情報配信サーバと、を備え、
この情報配信サーバが、測位サーバから取得した携帯端末の位置情報が配信情報蓄積サーバから取得した配信情報が設定された所定の地域内に位置している場合に、当該配信情報をその地域内に位置する携帯端末に対して配信する情報配信手段を備えた、という構成を採っている。
【００１０】
このような構成にすることにより、情報配信サーバは、まず、ユーザの携帯端末の位置を測位サーバから取得すると共に、ユーザに配信すべき種々の配信情報を配信情報蓄積サーバから取得する。そして、携帯端末の位置が、配信情報が設定されている所定の地域内に存在する場合に、その配信情報を携帯端末に配信する。このとき、携帯端末が位置する地域に複数の配信情報が設定されている場合には、それぞれの配信情報が配信される。このように、災害情報や犯罪情報など複数の配信情報の配信処理を測位サーバが測定した携帯端末の位置情報のみに基づいて行われるため、それぞれの配信情報毎に携帯端末の測位を行う必要が無く、災害情報などの配信時における測位処理によるネットワークトラフィックにかかる負荷を軽減することができる。
【００１１】
また、本発明では、上記発明を具体化したシステムとして、
ユーザが所有する携帯端末の位置を測定する測位サーバと、所定の地域毎に設定され当該地域内の状況を表す種々の配信情報を蓄積する配信情報蓄積サーバと、測位サーバと配信情報蓄積サーバとにネットワークを介して接続された情報配信サーバと、を備え、
この情報配信サーバが、
種々の配信情報が設定された地域を含む所定範囲の地図データを記憶する地図データ記憶手段と、
測位サーバからネットワークを介して携帯端末の位置情報を取得すると共に当該位置情報を地図データ上に関連付けて記憶する端末位置取得手段と、
配信情報蓄積サーバからネットワークを介して種々の配信情報を取得すると共にこれら配信情報を当該配信情報が設定された所定の地域に対応して地図データ上に関連付けて記憶する配信情報取得手段と、
地図データ上において携帯端末の位置情報が配信情報が設定された地域内に位置する場合に、当該配信情報をその地域内に位置する携帯端末に対して配信する情報配信手段と、
を備えた、という構成を採っている。
【００１２】
このような構成にすることにより、基本的には上述したように作動しつつ、情報配信サーバにて、携帯端末の位置情報と配信情報とが取得時に地図データ上に登録され、これに基づいて携帯端末が所定の地域内に存在するか否かの検索処理が行われるため、かかる処理の高速化を図ることができる。従って、災害情報などの緊急を要する情報を、迅速に配信することができる。
【００１３】
また、本発明では、上記発明をさらに具体化したシステムとして、
ユーザが所有する携帯端末の位置を測定する測位サーバと、所定の地域毎に設定され当該地域内の状況を表す種々の配信情報を蓄積する配信情報蓄積サーバと、測位サーバと配信情報蓄積サーバとにネットワークを介して接続された情報配信サーバと、を備え、
この情報配信サーバが、
種々の配信情報が設定された地域を含む所定範囲の地図データを記憶する地図データ記憶手段と、
携帯端末宛の情報通信用アドレスデータを記憶するアドレスデータ記憶手段と、
測位サーバからネットワークを介して前記携帯端末の位置情報を取得すると共に当該位置情報を地図データ上に関連付けて記憶する端末位置取得手段と、
配信情報蓄積サーバからネットワークを介して種々の配信情報を取得すると共にこれら配信情報を当該配信情報が設定された所定の地域に対応して地図データ上に関連付けて記憶する配信情報取得手段と、
地図データ上において携帯端末の位置情報が配信情報が設定された地域内に位置する場合に、当該配信情報をその地域内に位置する携帯端末に対して配信するようアドレスデータ記憶手段に記憶された情報通信用アドレスデータ宛に送信する情報配信手段と、
を備えた、という構成を採っている。
【００１４】
このような構成にすることにより、基本的には上述したように作動しつつ、情報配信サーバが予め携帯端末宛のアドレスデータを記憶しているため、取得した携帯端末の位置情報から配信情報の宛先データを取得することができない場合であっても、確実に所定の地域に存在する携帯端末に当該地域に関する配信情報を送信することが可能となる。
【００１５】
また、本発明では、上記構成に加えて、
情報配信サーバが、取得した携帯端末の位置情報が以前に取得したものと比較して異なる地域に移動している場合に情報配信手段を作動させる、という構成を採っている。
【００１６】
このような構成にすることにより、ユーザが携帯端末と共に地域を移動した際に、このことが情報配信サーバにて検出され、上述した情報配信手段が作動し、ユーザが存在する地域に配信情報が設定されている場合に、当該ユーザの携帯端末に対して配信情報が送信される。従って、ユーザは移動に伴って、その地域の情報を迅速に取得することができる。
【００１７】
また、上記構成に加え、情報配信サーバが、取得した配信情報が所定の地域において新たに取得されたものである場合に情報配信手段を作動させる、という構成を採っている。そして、さらに、情報配信サーバが、取得した配信情報が同一地域における以前に取得したものと比較して変更されている場合に情報配信手段を作動させる、という構成を採っている。
【００１８】
このような構成にすることにより、配信情報が所定の地域において新たに取得され、あるいは、同一地域において以前に取得したものから変更があったことが情報配信サーバにて検出され、上述したように情報配信処理が行われる。従って、配信情報が新たに発生したり、変更があったときに、かかる地域に存在するユーザに情報が配信されるため、ユーザはその地域の情報を迅速に取得することができる。
【００１９】
また、本発明では、上記構成に加え、
種々の配信情報は、所定の地域における気象情報、地震情報、津波情報、噴火情報、洪水情報など、各種災害情報のうち、いずれか２種以上の災害情報を含む、という構成を採っている。同様に、種々の配信情報は、前記所定の地域における気象・地震・津波・噴火・洪水などの災害情報、所定の地域における犯罪発生情報、所定の地域におけるハザードマップ情報、のうち、いずれか２つ以上の情報を含む、という構成を採っている。
【００２０】
このような構成にすることにより、多数の配信情報がユーザに提供されるシステムであっても、これら多数の配信情報は一つの情報配信サーバから配信されるよう構成されており、当該情報配信サーバでは複数の携帯端末の位置情報を一の測位サーバから取得すれば済むため、当該測位に費やされるコストやネットワークトラフィックの負荷を軽減することができる。
【００２１】
また、本発明では、上記構成に加え、
携帯端末が、通信基地局を介して通信可能な携帯電話などの携帯型情報通信端末であって、
測位サーバが、通信基地局による測位情報を使用して携帯端末の位置情報を蓄積する、という構成を採っている。
【００２２】
また、携帯端末が、通信基地局を介して通信可能な携帯電話などの携帯型情報通信端末であって、
測位サーバが、ＧＰＳ測位情報、及び、通信基地局による測位情報を併用して測定された携帯端末の位置情報を蓄積する、という構成を採っている。
このとき、測位サーバが、通信基地局による携帯端末の在圏情報を用いて当該携帯端末の位置情報の計測を行うと共に、この在圏情報による計測に基づいてＧＰＳシステムを用いて携帯端末の位置情報の計測を行う、という構成にすると望ましい。
【００２３】
このような構成にすることにより、携帯端末の測位時にネットワークに対する大きな負荷やコストのかかるＧＰＳ測位のみを用いることなく、当該携帯端末の位置情報の検出を常時行っている通信基地局による測位情報を併用して、あるいは、この通信基地局による測位情報のみを用いることにより、特定地域に存在するユーザを精度よく検出すると共に、ネットワークトラフィック負荷及びコストの軽減を図ることができる。特に、常時計測されている在圏情報をまず初期測位手段として用い、この在圏情報に基づいて詳細な計測が必要とされる携帯端末の位置をＧＰＳにて計測することで、さらに計測時にかかるネットワーク上の負荷を抑制することができる。
【００２４】
また、本発明では、上記構成に加え、情報配信サーバが、測位サーバから取得した携帯端末の位置情報を他の機関サーバに提供したり、モニタに表示するなど、外部に出力する際に、当該携帯端末あるいは当該携帯端末を所有するユーザを特定する情報を付加せずに位置情報を出力する機能を有する、という構成を採っている。このような構成にすることにより、ユーザのプライバシーを保護しつつ、ユーザあるいは携帯端末の位置情報の有効利用を図ることができる。
【００２５】
ここで、本発明ではさらに、上記情報配信システムに関連して、当該システムを構成する情報配信サーバや、当該サーバの動作を制御するプログラム、上記システムが作動することにより実現される情報配信方法、をも提供している。
【００２６】
そして、情報配信サーバの一の構成として、
ユーザが所有する携帯端末の位置情報を取得する端末位置取得手段と、
所定の地域毎に設定され当該地域内の状況を表す種々の配信情報を取得する配信情報取得手段と、
携帯端末の位置情報が配信情報が設定された所定の地域内に位置している場合に当該配信情報をその地域内に位置する携帯端末に対して配信する情報配信手段と、を備えた、という構成を採っている。
【００２７】
また、情報配信サーバの他の構成として、
所定範囲の地図データを記憶する地図データ記憶手段と、
ユーザが所有する携帯端末の位置情報を取得して当該位置情報を地図データ上に関連付けて記憶する端末位置取得手段と、
所定の地域毎に設定され当該地域内の状況を表す種々の配信情報を取得してこれら配信情報を当該配信情報が設定された所定の地域に対応して地図データ上に関連付けて記憶する配信情報取得手段と、
地図データ上において携帯端末の位置情報が配信情報が設定された地域内に位置する場合に、当該配信情報をその地域内に位置する前記携帯端末に対して配信する情報配信手段と、
を備えた、という構成を採っている。
【００２８】
さらに、情報配信サーバの他の構成として、
所定範囲の地図データを記憶する地図データ記憶手段と、
ユーザが所有する携帯端末の位置情報を取得して当該位置情報を地図データ上に関連付けて記憶する端末位置取得手段と、
所定の地域毎に設定され当該地域内の状況を表す種々の配信情報を取得してこれら配信情報を当該配信情報が設定された所定の地域に対応して地図データ上に関連付けて記憶する配信情報取得手段と、
携帯端末宛の情報通信用アドレスデータを記憶するアドレスデータ記憶手段と、
地図データ上において携帯端末の位置情報が配信情報が設定された地域内に位置する場合に、当該配信情報をその地域内に位置する携帯端末に対して配信するようアドレスデータ記憶手段に記憶された情報通信用アドレスデータ宛に送信する情報配信手段と、
を備えた、という構成を採っている。
【００２９】
そして、上述した情報配信用プログラムは、情報配信サーバに組み込まれることにより、当該情報配信サーバに上記各手段を実現するものである。
【００３０】
さらに、上述した情報配信方法の一の構成は、
ユーザが所有する携帯端末に所定の地域毎に設定された当該所定の地域内の状況を表す種々の配信情報を、ネットワークを介して接続された情報配信サーバを用いて携帯端末に配信する情報配信方法であって、
携帯端末の位置情報を取得する端末位置取得工程と、
この端末位置取得工程に前後して、種々の配信情報を取得する配信情報取得工程と、を有し、
端末位置取得工程にて取得した携帯端末の位置情報が、配信情報取得工程にて取得した配信情報が設定された所定の地域内に位置している場合に、当該配信情報をその地域内に位置する携帯端末に対して配信する情報配信工程と、
を備えた、という構成を採っている。
【００３１】
また、情報配信方法の他の構成として、
ユーザが所有する携帯端末に所定の地域毎に設定された当該所定の地域内の状況を表す種々の配信情報を、ネットワークを介して接続された情報配信サーバを用いて携帯端末に配信する情報配信方法であって、
携帯端末の位置情報を取得して当該位置情報を予め記憶された所定範囲の地図データ上に関連付けて記憶する端末位置取得工程と、
この端末位置取得工程に前後して、種々の配信情報を取得してこれら配信情報を当該配信情報が設定された所定の地域に対応して地図データ上に関連付けて記憶する配信情報取得工程と、を有し、
地図データ上において、端末位置取得工程にて取得した携帯端末の位置情報が配信情報取得工程にて取得した配信情報が設定された地域内に位置する場合に、当該配信情報をその地域内に位置する携帯端末に対して配信する情報配信工程と、
を備えた、という構成を採っている。
【００３２】
さらに、情報配信方法の他の構成として、
ユーザが所有する携帯端末に所定の地域毎に設定された当該所定の地域内の状況を表す種々の配信情報を、ネットワークを介して接続された情報配信サーバを用いて携帯端末に配信する情報配信方法であって、
携帯端末の位置情報を取得して当該位置情報を予め記憶された所定範囲の地図データ上に関連付けて記憶する端末位置取得工程と、
この端末位置取得工程に前後して、種々の配信情報を取得してこれら配信情報を当該配信情報が設定された所定の地域に対応して地図データ上に関連付けて記憶する配信情報取得工程と、を有し、
地図データ上において、端末位置取得工程にて取得した携帯端末の位置情報が配信情報取得工程にて取得した配信情報が設定された地域内に位置する場合に、当該配信情報をその地域内に位置する携帯端末に対して配信するよう予め記憶された携帯端末宛の情報通信用アドレスデータ宛に送信する情報配信工程と、
を備えた、という構成を採っている。
【００３３】
このように、情報配信サーバ、方法、情報配信用プログラムを上記構成にすることにより、上述した情報配信システムと同様に作用し、上記目的を達成することができる。
【発明の効果】
【００３４】
本発明は、以上のように構成され機能するので、これによると、単一の測位システムにて測定した携帯端末の位置情報のみを用いて、複数の災害情報や犯罪情報などの配信情報を配信する構成にしたので、各配信情報を配信するシステム毎に携帯端末の測位を行う必要が無く、災害情報などの配信時における測位処理によるネットワークトラフィックにかかる負荷を軽減することができる、という従来にない優れた効果を有する。
【発明を実施するための最良の形態】
【００３５】
本発明である情報配信システムは、ユーザの位置に応じて、その位置に適切な災害情報などの種々の情報を提供する、というシステムである。そして、種々の情報を提供するにあたり、情報配信サーバが携帯端末２に配信する複数の情報を一元的に管理し、当該情報配信サーバが取得した携帯端末の位置情報に応じて、当該携帯端末に種々の配信情報を送信するという点に特徴を有する。これにより、従来は提供する情報を管轄する機関（気象庁や警視庁）などそれぞれが携帯端末の位置の測定を行っていたため、当該測位によってネットワークトラフィックに過大な負荷がかかり、また、高コストもかかっていたが、携帯端末の測位を複数のシステムにて行う必要がないため、かかる問題点を解消することができる。以下、実施例にて発明の詳細を説明する。
【実施例１】
【００３６】
本発明の第１の実施例を、図１乃至図４を参照して説明する。図１乃至図２は、本発明の構成を示すブロック図である。図３乃至図４は、本発明の動作を示す説明図である。
【００３７】
＜全体構成＞
本発明である情報配信システムは、図１に示すように、ユーザが所有する携帯端末２の位置を測定する測位サーバ３と、所定の地域毎に設定され当該地域内の状況を表す種々の配信情報を蓄積する配信情報蓄積サーバ４０と、測位サーバ３と配信情報蓄積サーバ４０とにネットワークＮを介して接続された情報配信サーバ１と、を備えている。
【００３８】
そして、情報配信サーバ１が、測位サーバ３から携帯端末２の位置情報と、配信情報蓄積サーバ４０から配信情報とを取得し、これらに基づいて携帯端末２の位置に応じた配信情報を配信する、というシステムである。以下、これを詳述する。
【００３９】
＜携帯端末＞
携帯端末２は、予め情報配信システムに登録したユーザが所有する携帯電話、ＰＨＳ、通信機能を装備したノートパソコン、ＰＤＡなどの携帯型情報処理端末である。そして、携帯端末２は本発明である情報配信システムに複数が登録されており、例えば、端末毎の固有のＩＤが測位サーバ３及び情報配信サーバ１に登録されている。なお、本実施例では、携帯端末２は携帯電話であることとして説明する。
【００４０】
そして、本実施例における携帯電話２は、音声通話の機能はもちろんのこと、テキストデータなどの送受信も可能なようデータ通信機能を備えている。例えば、各端末毎に電子メールアドレスが設定されていて電子メールの送受信が可能であったり、電話番号そのものがアドレスとなるショートメッセージサービスなどが利用可能である。さらに、電子メースアドレスが電話固有のＩＤと共に情報配信サーバ１の記憶部に記憶されている。
【００４１】
また、携帯電話２は、電話毎に固有のＩＤを用いて識別され、各無線通信基地局にて在圏情報が常時計測されており、かかる情報が後述する測位サーバ３に送信されて当該測位サーバ３にて携帯電話２の位置が計測される。なお、携帯電話２の位置は複数の基地局による距離計測にて測定されてもよい。
【００４２】
さらに、携帯電話２は、ＧＰＳアンテナを搭載しており、ＧＰＳ衛星から位置情報を取得することが可能である。このとき、衛星捕捉に利用するデータなどは後述する測位サーバ３から送信されるものである。そして、ＧＰＳ衛星からの位置情報をネットワークＮを介して測位サーバ３に送信する機能を有し、これにより、測位サーバ３にて携帯電話２の位置が計測されることとなる。
【００４３】
このようにして、本実施例では、携帯電話２の位置情報が常に測位サーバ３にて取得される。なお、携帯電話２の測位手法は上記手法に限定されない。外部からの電波が届きにくい施設内などでは、無線ＬＡＮやＲＦＩＤタグ、赤外線通信などの近距離無線通信手段を測位手段として利用してもよい。すなわち、近距離無線通信手段がネットワークＮに接続されており、測位サーバ３に携帯電話２の位置情報を送信してもよい。
【００４４】
但し、携帯電話２が上述した基地局やＧＰＳによる測位情報を用いて、自己の位置情報を計測する機能を備えていてもよい。その場合には、携帯電話２自身が計測した位置情報をネットワークＮを介して測位サーバ３に送信してもよく、直接、情報配信サーバ１に送信してもよい。
【００４５】
また、携帯電話２には、後述するように、情報配信サーバ１から災害情報などの配信情報が配信されるが、これを受信して表示部に表示したり、配信される情報の形式によっては音情報にて出力処理をも行う。なお、携帯電話２のユーザは、情報配信サーバ１からの配信情報の配信方法を予め指定して当該情報配信サーバ１に登録することができる。例えば、配信情報の内容により、個別のメールでの配信、待ち受け画面へ表示する形式による配信、アラームやバイブレータにて出力する形式による配信、などである。
【００４６】
＜測位サーバ＞
測位サーバ３は、上述したように、携帯電話２と連携し、登録されたすべてのユーザの携帯電話２の位置を定期的（例えば、１０分毎）、あるいは、不定期に計測する。具体的には、携帯電話２が上述したようにＧＰＳ衛星などの測位衛星を利用する場合、衛星補足に用いる情報やディファレンシャルの補正情報などを携帯電話２に送信する機能を有する。そして、これに対して携帯電話２がＧＰＳ衛星から取得した位置情報をネットワークＮを介して取得し、当該携帯電話２の位置を計測する。また、上述したように無線通信基地局情報を利用する場合には、測位サーバ３は各基地局の位置情報を予め記憶し、当該基地局から取得した携帯電話２に対する信号到来時間差などから、携帯電話２の位置を測定する。
【００４７】
なお、測位サーバ３では、上述したように、無線通信基地局からの位置情報のみを用いて携帯電話２の位置を計測してもよく、ＧＰＳによる測位情報のみを用いて計測してもよい。あるいは、上述したように、これらを併用して計測してもよい。併用する場合には、まず、測位サーバ３は、携帯電話２のおおよその位置を基地局による在圏情報から計測し、その後、情報配信サーバ１からの指示に応じてＧＰＳを用いて携帯電話２の詳細な位置を計測してもよい。なお、基地局による測位は、各携帯電話２が位置する基地局の識別データ（基地局ＩＤ）を取得することにより行う。このように、測位手法を併用することで、常時、ＧＰＳによる測位を抑制でき、ネットワークに対する大きな負荷やコストの削減を図ると共に、必要な場合にはＧＰＳ計測による高精度な位置情報を取得できる。
【００４８】
＜配信情報蓄積サーバ＞
配信情報蓄積サーバ４０は、上述したように情報配信サーバ１を介してユーザの携帯端末２に提供する災害情報などの配信情報を記憶するネットワークＮに接続されたサーバコンピュータである。そして、具体的には、所定の地域における気象・地震・津波・噴火・洪水などの災害情報を記憶する災害情報蓄積サーバ４、所定の地域における犯罪発生情報を記憶する犯罪情報蓄積サーバ５、所定の地域におけるハザードマップ情報を記憶するハザードマップ情報蓄積サーバ６、などから成る。なお、これらの各サーバは、各情報を管理する機関などが異なるために、分散して存在している。以下、各サーバが提供する情報について、さらに詳述する。なお、配信情報を情報配信サーバ１に提供するサーバコンピュータは、上記サーバに限定されない。
【００４９】
まず、災害情報蓄積サーバ４は、気象や地震、津波、噴火などの動的に時々刻々と発生する各種災害情報、すなわち、各注意報や警報などの情報を、所轄官庁のサーバなどと連携して収集するサーバコンピュータである。例えば、気象庁、国土交通省や各自治体などが運営管理するサーバである。なお、ここでは、気象庁が管理するサーバを災害情報蓄積サーバ４とする。そして、これらの各種災害情報は、所定の地域ごと（例えば、市町村毎）に設定される。また、災害情報蓄積サーバ４は、時々刻々と変化する災害情報のみ成らず、予め地震，水害，噴火災害などが発生した際の被災状況を想定したハザードマップなどの静的な情報を格納する。従って、災害情報には、リアルタイムに観測した情報と、予め用意された静的な情報であるハザードマップ情報などをも含む。例えば、気象庁がハザードマップを用意している場合には、かかる災害情報蓄積サーバ４に格納されることとなる。ここで、「ハザードマップ」とは、例えば、既往災害事例や被害予想等を基にした災害危険区域の予想、避難経路、避難場所等の防災環境を地図や文章により視覚化したデータをいう。
【００５０】
また、犯罪情報蓄積サーバ５は、上記同様に、所定の地域ごとに、最近発生して未解決の通り魔など凶悪犯罪の状況や緊急配備などの時々刻々と更新される犯罪情報を収集するサーバコンピュータであり、例えば、警視庁や所轄県警が運営管理するサーバである。そして、かかるサーバに蓄積される犯罪情報は、過去の犯罪発生実績より危険度を見積もった犯罪発生マップなどの静的な情報でもよい。そして、この犯罪情報蓄積サーバ５は、各所轄庁毎に設置されていてもよい。
【００５１】
また、ハザードマップ情報蓄積サーバ６は、上述した災害情報に含まれるハザードマップを記憶するサーバコンピュータであるが、例えば、ある自治体では特に気象に関する情報を発することなく、ハザードマップ情報のみを提供している場合もあるため、かかる場合には、その自治体が運営管理するサーバコンピュータは、ハザードマップ情報蓄積サーバ６となる。
【００５２】
そして、各情報を記憶するサーバ４，５，６等は、記憶する配信情報をその情報が関係する地域毎に関連付けて記憶しているが、このとき、各サーバ４，５，６等が記憶する地図データに関連付けて記憶している。そして、情報配信サーバ１からの要求に応じて、配信情報と共に、当該配信情報が設定されている地図データ上のある地域を特定する情報を、情報配信サーバ１に送信する。
【００５３】
ここで、上記災害情報には、所定の地域における気象情報、地震情報、津波情報、噴火情報、洪水情報など、ここに記載されない災害情報も含まれる。また、以下に説明する犯罪情報等も含めて、少なくとも、２つの機関から提供される情報が配信情報として用意され、情報配信サーバ１に提供されるとよい。すなわち、複数の配信情報が一つの情報配信サーバに集約され、これが当該情報配信サーバから配信されるよう構成されるとよい。
【００５４】
＜情報配信サーバ＞
情報配信サーバ１は、情報配信システムを提供する業者が運営管理するサーバコンピュータであって、一般的なサーバコンピュータにて構成されている。すなわち、演算処理装置であるＣＰＵ１０と、記憶装置であるＲＡＭ，ＲＯＭ，ハードディスク２０を備えている。また、通信機能を有しており、ネットワークを介して上述した携帯端末２や、測位サーバ３、配信情報蓄積サーバ４０とデータの送受信が可能である。
【００５５】
そして、この情報配信サーバ１のＣＰＵ１０には、携帯端末２に対する情報配信処理を実現するためのプログラムが組み込まれることで、以下に説明する各処理部が構築される。また、記憶装置であるハードディスクには、以下に説明する情報を記憶する各記憶部が形成されている。これについて詳述する。
【００５６】
まず、情報配信サーバ１のハードディスク２０には、システムに登録したユーザのデータが、ユーザデータ記憶部２１内に予め記憶されている。具体的には、各ユーザ毎（携帯電話毎）に、各ユーザを識別するユーザ名、当該ユーザが所有する携帯電話固有のＩＤ、電話番号、携帯電話２が宛先となる電子メールアドレス、などが記憶されている。また、その携帯電話の位置情報を記憶する領域も形成されている。さらに、ユーザデータ記憶部２１には、予め携帯電話２のユーザから登録があった場合に、各携帯電話２への配信情報の配信方法を表す情報が記憶されている。配信方法は、上述したように、メールによる配信、アラームなどによる通知、などである。
【００５７】
また、情報配信サーバ１のハードディスク２０には、予め全国の地図データなど、所定範囲の地図データを記憶する地図データ記憶部２２が形成されている。なお、地図データ上には、各地域（例えば、各市町村）を特定するデータが設定されている。
【００５８】
そして、情報配信サーバ１のＣＰＵ１０には、上述した測位サーバ３からネットワークＮを介して携帯電話２の位置情報を取得すると共に当該位置情報を地図データ記憶部２２内の地図データ上に関連付けて記憶する端末位置取得部１１が構築されている。この端末位置取得部１１は、具体的には、一定の時間間隔毎に、測位サーバ３に対して携帯電話２の位置情報を要求し、これに応答して測位サーバ３から送信された位置情報を受信する。そして、受信した携帯電話２毎の位置情報を、地図データ記憶部２２に記憶されている地図データ上において現在位置を特定できるデータを用いて、ユーザデータ記憶部２１内の該当するユーザのデータベースに記憶する。なお、このとき、端末位置取得部１１は、登録した携帯電話２の位置情報に変更があったか否かを、ユーザデータ記憶部２１に既に記憶されている位置情報を比較することで判断する。そして、変更があった場合には、その旨及び携帯電話２を特定する情報を後述する情報配信部１３に通知する。
【００５９】
また、情報配信サーバ１のＣＰＵ１０には、上述した種々の配信情報蓄積サーバ４０からネットワークＮを介して種々の配信情報を取得すると共にこれら配信情報を当該配信情報が設定された所定の地域に対応して地図データ上に関連付けて記憶する配信情報取得部１２が構築されている。これに応じて、配信情報を記憶する配信情報記憶部２３がハードディスク２３に形成されている。そして、この配信情報取得部１２は、具体的には、一定の時間間隔毎に、配信情報蓄積サーバ４０に対して所定地域の配信情報を要求し、これに応答して配信情報蓄積サーバ４０から送信された配信情報を受信する。そして、受信した配信情報は、所定の地域ごとに設定された情報であるため、地図データ記憶部２２に記憶されている地図データ上においてその位置を特定して関連付けた上で、配信情報記憶部２３に格納する。なお、配信情報記憶部２３は、各地域ごとに災害情報などの配信情報が記憶されるようになっている。そして、このとき、記憶した配信情報が設定された地域内において、当該配信情報に変更があったか否かを、配信情報記憶部２３に既に記憶されている同一地域の配信情報と比較することで判断する。そして、変更があった場合には、その旨及びその地域と配信情報を特定する情報を後述する情報配信部１３に通知する。ここで、変更があった場合とは、新たに配信情報が記憶されたことも含む。
【００６０】
また、情報配信サーバ１のＣＰＵ１０には、上述したように、地図データ上において、登録された携帯電話２の位置情報が、記憶された配信情報が設定された地域内に位置する場合に、当該配信情報をその地域内に位置する携帯電話２に対して配信する情報配信部１３が構築されている。具体的にこの情報配信部１１は、まず、上述したように、端末位置取得部１１から携帯電話２の位置情報の変更があった旨の通知を受信したとき作動する。このように携帯電話２の位置の変更の通知を受けると、これと共に受信した携帯電話を特定する情報（例えば、ＩＤなど）をもとにユーザデータ記憶部２１から当該携帯電話２の電子メールアドレスデータを取得し、この宛先に、当該携帯電話２が現在位置する地域に設定された配信情報を配信情報記憶部２３から読み出して配信する。また、情報配信部１１は、上述したように、配信情報取得部１２から特定の地域における配信情報の変更があった旨の通知を受信したときにも作動する。このように配信情報の変更の通知を受けると、これと共に受信した地域を特定する情報をもとに当該地域に存在する携帯電話２をユーザデータ記憶部２１から検索し、該当した携帯電話２の電子メールアドレスデータをも取得し、この宛先に、変更があった配信情報を配信情報記憶部２３から読み出して配信する。なお、配信の際に、ユーザデータ記憶部２１内のデータを調べ、ユーザから配信方法の指定がなされている場合には、指定された配信方法に適したデータ形式に変換して配信情報を送信する。例えば、アラームによる通知を指定しているユーザに対しては、予め配信情報毎に設定されたパターンの音情報を選択して、かかる音情報を携帯電話２に送信する。
【００６１】
ここで、上記では、情報配信サーバ１がユーザの携帯電話２の電子メールアドレス先に送信することを例示したが、これに限定されない。例えば、ユーザの測位の際に利用される各携帯端末２を特定する情報が電話番号である場合には、当該電話番号宛にショートメッセージサービスなどを利用して配信情報を配信することが可能となる。従って、位置情報を取得することで、ユーザデータ記憶部２１から電子メールアドレスを検索することなく、ユーザの携帯電話２に対して情報配信サーバ１から情報を配信することが可能となる。
【００６２】
＜動作＞
次に、上記構成の情報配信システムの動作を、図３乃至図６を参照して説明する。なお、図３乃至図４に示すフローチャートでは、ユーザすなわち携帯電話２の位置が変更し、配信すべき情報が存在している地域に侵入した場合の動作例を示す。また、図５乃至図６に示すフローチャートでは、ユーザすなわち携帯電話２の所在する地域に新たに配信すべき情報が発生した場合の動作例を示す。
【００６３】
はじめに、図３を参照して説明する。なお、この場合には、上述した測位方法のうち、いずれか一方の方法のみを用いることとする。
【００６４】
まず、測位サーバ３がネットワークＮを介してユーザの携帯電話２の測位を行う（ステップＡ１）。そして、これを情報配信サーバ１が取得し、端末位置取得部１１にて、測位された携帯電話２のＩＤに基づいて、ユーザデータ記憶部２１に記憶されている位置情報を更新する（ステップＡ２）。このとき、新しい位置情報と、更新前の位置情報とを比較し、位置が変更しているか、具体的には、異なる地域に位置しているか否かを調べ、異なるエリアに存在する場合には、ステップＡ４に進み、新旧の位置が同じエリアの場合、すなわちエリアを移動していない場合にはステップＡ１に戻る（ステップＡ３）。
【００６５】
続いて、ステップＡ４では、異なる地域に移動した旨の通知を受けた情報配信部１３により、地図データ上の新しい地域における配信情報が存在するか否かを配信情報記憶部２３を参照して確認し、配信情報が存在する場合には、次のステップＡ６に進み、配信情報が存在しない場合、すなわち、記憶されている配信情報が設定されている地域に携帯電話２の位置情報が位置しない場合にはステップＡ１へ戻る（ステップＡ５）。
【００６６】
そして、ステップＡ６では、情報配信部１３が携帯電話２の位置と同一地域に存在した配信情報を配信情報記憶部２３から読み出すと共に、その携帯電話２のＩＤに基づいてユーザデータ記憶部２１内から電子メールアドレスを読み出し、電子メールアドレス宛に、配信情報を配信する（ステップＡ６）。このとき、ＩＤに基づいてユーザデータ記憶部２１を参照することで、予めユーザへの配信情報の配信方法が登録されている場合には、その登録された配信方法に従って配信処理が行われる。
【００６７】
次に、図４を参照して説明する。この図の動作例は、上述した図３に示す動作例の変形例であり、具体的には、上述した２つの測位方法を併用する場合である。
【００６８】
まず、測位サーバ３がネットワークＮを介してユーザの携帯電話２の各基地局への在圏情報の監視を行う。すなわち、測位サーバ３から送信される各携帯電話２が所在する基地局ＩＤをモニタする（ステップＡ１１）。かかる基地局ＩＤは、携帯電話２のＩＤと共に情報配信サーバ１にて取得され、端末位置取得部１１にて、測位された携帯電話２のＩＤに基づいて、ユーザデータ記憶部２１に記憶されている位置情報が更新される。このとき、新しい基地局ＩＤを更新前の基地局ＩＤと比較し、変更している場合にはステップＡ１３に進む（ステップＡ１２）。
【００６９】
続いて、ステップＡ１３では、情報配信サーバ１の配信情報取得部１２が、携帯端末２が移動した基地局圏内において災害情報蓄積サーバ４などから災害情報などの配信情報が提供されているか否かを調べる。そして、配信情報が存在する場合にはステップＡ１５に進み、そうでない場合には、ステップＡ１１に戻って在圏基地局情報の監視を継続する（ステップＡ１４）。
【００７０】
続いて、ステップＡ１５では、情報配信サーバ１から測位サーバ３に対して、携帯電話２が移動してきた基地局圏内に配信情報が存在すると判断された当該携帯電話２の詳細な位置情報の計測指示が出され、これに応じて測位サーバ３にて携帯電話２の測位が実施される。このとき、測位サーバ３は、例えば、ＧＰＳ衛星による測位機能を用いて携帯電話２の位置情報を計測する。そして、測位サーバ３は携帯電話２の位置情報を情報配信サーバ１に送信する。
【００７１】
続いて、詳細な位置情報を得た情報配信サーバ１は、再度、詳細な位置情報に基づいてかかる位置に配信情報が存在するか否かを確認する（ステップＡ１６）。そして、存在する場合には（ステップＡ１７）、当該携帯電話２のアドレスデータを受信して、配信情報の配信処理を実行する（ステップＡ１８）。
【００７２】
その後は、携帯電話２の在圏基地局の情報を再度確認し（ステップＡ１９）、在圏基地局が変更されて新たな基地局に移動した場合は、ステップＡ１３に進んで新たな基地局内における配信情報の確認を行う。一方、変更されていない場合にはステップＡ１５に進み、継続して詳細な測位を行う（ステップＡ２０）。以上の工程を、全ての登録ユーザの携帯電話２について行う。
【００７３】
次に、ユーザすなわち携帯電話２の所在する地域に新たに配信すべき情報が発生した場合の動作について説明する。はじめに、図５の場合を説明する。図５では、上述した測位方法のうち、いずれか一方の方法のみを用いることとする。
【００７４】
まず、ステップＢ１では、配信情報取得部１２において各種の配信情報の監視を行う。すなわち、災害情報蓄積サーバ４や犯罪情報蓄積サーバ５など、各種配信情報蓄積サーバ４０から配信情報を取得し、当該配信情報が設定されている地域内において新たに発生した場合、あるいは、変更が生じた場合に、その旨と該当する地域を特定する情報を情報配信部１３に通知する。そして、その後ステップＢ３に進む。一方、配信情報が検出されない場合、あるいは、変更がない場合は、ステップＢ１へ戻る（ステップＢ２）。なお、ステップＢ３では、配信情報取得部１２にて、検出した配信情報の内容を内部の地図データに関連付けて配信情報記憶部２３に記憶する。
【００７５】
続いて、ステップＢ４では、通知を受けた情報配信部１３が、地図データ上において配信情報の変更（あるいは、新規登録）があった地域に存在する携帯電話２の検出をユーザデータ記憶部２１に登録されている位置情報に基づいて行い、携帯電話が存在する場合はそのＩＤを抽出してステップＢ６に進み、検出しなかった場合はステップＢ１に戻る（ステップＢ５）。
【００７６】
続いて、ステップＢ６では、抽出された携帯電話のＩＤに基づいてユーザデータ記憶部２１内から電子メールアドレスを取得すると共に、上記変更があった配信情報を配信情報記憶部２３から読み出す。そして、上記電子メールアドレス宛に予めユーザにより登録された配信方法に従い、配信情報を配信する。
【００７７】
次に、図６の場合を説明する。この図の動作例は、上述した図５に示す動作例の変形例であり、具体的には、上述した２つの測位方法を併用する場合である。
【００７８】
まず、ステップＢ１１では、配信情報取得部１２において各種の配信情報の監視を行う。すなわち、災害情報蓄積サーバ４や犯罪情報蓄積サーバ５など、各種配信情報蓄積サーバ４０から配信情報を取得し、当該配信情報が設定されている地域内において新たに発生した場合、あるいは、変更が生じた場合に、その旨と該当する地域を特定する情報を情報配信部１３に通知する。そして、その後ステップＢ１３に進む。一方、配信情報が検出されない場合、あるいは、変更がない場合は、ステップＢ１１へ戻る（ステップＢ１２）。
【００７９】
続いて、ステップＢ１３では、情報配信サーバ１が配信情報が検出された地域を含む基地局を特定し、当該基地局に在圏する携帯電話２の検出を行う。このとき、情報配信サーバ１は、携帯電話２の検出要求を測位サーバ３に対して行う（ステップＢ１３）。その後、さらに、検出対象となった特定の基地局に在圏している携帯電話２の詳細な位置を、ＧＰＳ測位によって計測することも要求する（ステップＢ１４）。
【００８０】
続いて、情報配信サーバ１は測位サーバ３から携帯電話２の詳細な位置情報を取得すると、かかる携帯電話２が上記配信情報の発生した地域に存在するか否かを調べ（ステップＢ１５，Ｂ１６）、存在する場合には、かかる携帯端末２に配信情報を送信する（ステップＢ１７）。
【００８１】
このように、本発明では、上述した図３，４及び図５，６に示す二つのプロセスを平行して実施することにより、ユーザが配信情報の発生している地域へ侵入した場合、及び、ユーザの所在する地域に新たに安全情報が発生した場合の両方おいて、直ちに当該ユーザに安全情報を通知することが可能となる。
【００８２】
以上、本発明では、災害情報や犯罪情報など複数の配信情報の配信処理を測位サーバが測定した携帯端末の位置情報のみに基づいて行われるため、それぞれの配信情報毎に携帯端末の測位を行う必要が無く、災害情報などの配信時における測位処理によるネットワークトラフィックにかかる負荷を軽減することができる。その結果、災害時にネットワークトラフィック渋滞が生じ、最も配信したい災害情報などを配信することが困難となるおそれを抑制することができる。さらには、従来のように、複数のシステムによって常時ユーザ端末の測位が行われることとなると、これに対するユーザ端末の消費電力が大きくなり、バッテリの持続時間が極端に短くなる、という問題が生じるが、かかる不都合を改善でき、災害時に充電切れのため災害情報を受信することができない、という事態を抑制することができる。
【実施例２】
【００８３】
次に、本発明の第２の実施例を、図７乃至図８を参照して説明する。図７は、実施例２における情報配信サーバ１の構成を示す機能ブロック図であり、図８は、動作を示すフローチャートである。
【００８４】
本実施例における情報配信システムは、情報配信サーバ１が取得したユーザの携帯電話２の位置情報をさらに別の機関に提供し、かかる位置情報の有効利用を図る、というものである。
【００８５】
例えば、祭りや花火大会などの人手が多くなるイベント開催時などにおいては、その地域の行政機関が会場付近に所在するユーザの測位を行って、人手を把握し、その人手に対応した適切な安全管理を実現することが必要となる場合ある。また、別の例では、水害などが発生した場合に、その地域に所在するユーザの測位を行い、水没した家屋に取り残された人々の捜索を効率よく行うために必要となる場合がある。
【００８６】
以上のような状況を想定して、予め行政機関のサーバである災害情報蓄積サーバ４などになどに接続されて情報配信サーバ１が、当該行政機関にユーザの測位情報を提供することで、行政機関がかかる情報の有効利用を図ることができ、さらに、この場合に、ユーザのプライバシーの保護も行う。
【００８７】
＜構成＞
本実施例における情報配信システムは、基本的には上述した実施例１のものとほぼ同様であるが、図１に示すように、情報配信サーバ１が、測位サーバ３から取得した携帯端末２の位置情報を他の機関サーバに提供して、当該他の機関サーバのディスプレイに表示するようネットワークＮを介して送信する位置情報提供部１４を備えている。そして、この位置情報提供部１４は、さらに、位置情報を送信して表示する際に、当該携帯端末あるいは当該携帯端末を所有するユーザを特定する情報を付加せずに位置情報を提供する。
【００８８】
＜動作＞
上記構成のシステムの動作を、図８のフローチャートを参照して説明する。まず、ステップＣ１では、情報配信サーバ１が測位サーバ３を介して予め定められた特定の地域を含む基地局に在圏する携帯電話２の検出を行う。次に、ステップＣ２では、測位サーバ３がＧＰＳ衛星の測位機能を用いて、ステップＣ１にて検出した全ての携帯電話２の位置を詳細に測位する。
【００８９】
続いて、ステップＣ３では、ステップＣ２にて詳細に測位した携帯電話のうち、上記特定の地域内に所在するもののみ検出を行う。その結果、特定地域内に携帯電話２が所在すればステップＣ５に進み、所在しなければステップＣ６に進む（ステップＣ４）。そして、ステップＣ５では、所在する携帯電話２（ユーザ）の数、各携帯電話２（ユーザ）の位置の情報を他の機関サーバに表示するよう送信する。一方、ステップＣ６では、特定地域に携帯電話２（ユーザ）が所在していない旨を他の機関サーバに表示するよう送信する。
【００９０】
以上、本実施例では、実施例１に開示したシステムを利用して、ユーザの位置情報の有効利用を図ることができ、この際に、ユーザのプライバシーをも保護することが可能となる。また、上記同様に、位置情報計測時にネットワーク上にかかる負荷の軽減を図ることができる。
【００９１】
ここで、上述した実施例１又は実施例２における情報配信システムは、ユーザが自己の携帯端末を登録することでその位置が測位され情報配信が実現されるが、このときにユーザかかるサービス利用費用の徴収方法は、以下の方法がある。まず、加入ユーザが月額単位などで携帯電話の利用料と同時に支払うことが可能である。また、実施例２のように各ユーザの所在情報を行政機関が安全管理などに利用する場合には、行政機関が費用を負担することも可能である。その際には、プライバシーの問題が発生するが、行政機関に位置情報を提供したくないユーザは費用を自身で負担するなどの措置をとることも可能である。さらには、広告事業者が各ユーザの所在情報を利用して携帯電話などに広告の配信を行う場合には、サービスの費用を広告事業者が負担することも可能である。
【実施例３】
【００９２】
上記各実施例では、情報配信システムとして、情報配信サーバ１、測位サーバ３、配信情報蓄積サーバ４０、といった複数のサーバコンピュータにて構成されている例を説明したが、本発明はかかる構成に限定されない。例えば、情報配信サーバ１が、測位サーバ３や配信情報蓄積サーバ４０などの他のサーバが有する機能を全て備えていて、一台のコンピュータにて本発明である情報配信システムが構成されていてもよい。
【産業上の利用可能性】
【００９３】
本発明は、災害情報などを配信する行政機関や、携帯電話の事業者などが、情報提供サービスを行うシステムとして利用可能である。
【図面の簡単な説明】
【００９４】
【図１】実施例１におけるシステム構成を示すブロック図である。
【図２】実施例１における情報配信サーバの構成を示す機能ブロック図である。
【図３】実施例１における動作を示すフローチャートであり、携帯電話の位置が変更し、配信すべき情報が存在している地域に侵入した場合の動作の一例を示すものである。
【図４】実施例１における動作を示すフローチャートであり、携帯電話の位置が変更し、配信すべき情報が存在している地域に侵入した場合の動作の他の例を示すものである。
【図５】実施例１における動作を示すフローチャートであり、携帯電話の所在する地域に新たに配信すべき情報が発生した場合の動作の一例を示すものである。
【図６】実施例１における動作を示すフローチャートであり、携帯電話の所在する地域に新たに配信すべき情報が発生した場合の動作の他の例を示すものである。
【図７】実施例２における情報配信サーバの構成を示す機能ブロック図である。
【図８】実施例２における動作を示すフローチャートである。
【符号の説明】
【００９５】
１  情報配信サーバ
２  携帯端末（携帯電話）
３  測位サーバ
４  災害情報蓄積サーバ
５  犯罪情報蓄積サーバ
６  ハザードマップ情報蓄積サーバ６
１１  端末位置取得部（端末位置取得手段）
１２  配信情報取得部（配信情報取得手段）
１３  情報配信部（情報配信手段）
１４  位置情報提供部
２１  ユーザデータ記憶部（アドレスデータ記憶手段）
２２  地図データ記憶部（地図データ記憶手段）
２３  配信情報記憶部
４０  配信情報蓄積サーバ
Ｎ  ネットワーク
【図１】
2005333232.tif 000003
【図２】
2005333232.tif 000004
【図３】
2005333232.tif 000005
【図４】
2005333232.tif 000006
【図５】
2005333232.tif 000007
【図６】
2005333232.tif 000008
【図７】
2005333232.tif 000009
【図８】
2005333232.tif 000010